(57)【特許請求の範囲】
【請求項１】
カメラ本体に装着が可能な撮影機材の種類と当該撮影機材の購入費用を示す撮影機材負担度合いと、用意された撮影設定の種類と当該撮影設定の手間を示す撮影設定負担度合いが、それぞれ記載された負担度合いテーブルと、
前記負担度合いテーブルの前記撮影機材と前記撮影設定の中から、それぞれ推奨する前記撮影機材と前記撮影設定を決定し、前記決定した撮影機材及び撮影設定にそれぞれ対応するアドバイスコンテンツから構成されるアドバイス画像を生成するアドバイス決定部と、
前記アドバイス画像を表示する表示制御部を備え、
前記アドバイス決定部は、前記撮影機材の購入費用に関する第１の軸、前記撮影設定の
手間に応じた負担度合いに関する第２の軸とする２次元座標の対応する位置に、前記アド
バイスコンテンツを配置したアドバイス画像を生成する
ことを特徴とするアドバイス表示装置。
【請求項２】
現在の撮影環境として、現在のカメラ本体に装着されている撮影機材、現在の撮影設定
の種類、及び現在の撮影状況とをそれぞれ判定する撮影環境判定部とを備え、
前記アドバイス決定部は、前記撮影環境判定部により判定される現在の撮影環境に基づ
き、前記負担度合いテーブルから、負担度の少ない順に、１以上の推奨する撮影機材及び
撮影設定を決定する
ことを特徴とする請求項１に記載のアドバイス表示装置。
【請求項３】
前記アドバイス決定部は、撮影者を特定し、前記推奨する撮影機材として過去に使用し
た撮影機材を除外したり負担度を変更すると共に、前記推奨する撮影設定として過去に使
用した撮影設定を除外したり、負担度を変更する
ことを特徴とする請求項１に記載のアドバイス表示装置。
【請求項４】
前記アドバイス決定部は、複数の撮影機材の中から、前記現在の撮影状況に基づき判定
された被写体の種類に適した撮影機材でかつ負担度合いの少ない撮影機材を前記推奨する
前記撮影機材として決定し、
前記アドバイス決定部は、複数の撮影設定の中から、前記現在の撮影状況に基づき判定
された被写体の種類に適した撮影設定でかつ負担度合いの少ない撮影設定を前記推奨する
前記撮影設定として決定する
ことを特徴とする請求項２に記載のアドバイス表示装置。
【請求項５】
前記アドバイス決定部は、前記決定された撮影機材と撮影設定との組み合わせからなる
アドバイスコンテンツを作成し、前記組み合わせからなるアドバイスコンテンツを前記２
次元座標の対応する位置に配置したアドバイス画像を生成する
ことを特徴とする請求項１に記載のアドバイス表示装置。
【請求項６】
前記アドバイス決定部は、前記アドバイスコンテンツとして、当該決定された撮影機材
あるいは撮影設定の使用により予想されるサンプル画像を表示する
ことを特徴とする請求項２に記載のアドバイス表示装置。
【請求項７】
前記アドバイス決定部は、現在の撮影画像に基づき、前記サンプル画像を生成する
ことを特徴とする請求項６に記載のアドバイス表示装置。
【請求項８】
前記アドバイス決定部は、複数表示されたアドバイスコンテンツの中から指定されたアドバイスコンテンツの内容を示す詳細アドバイスコンテンツを作成し、
前記表示制御部は、前記詳細アドバイスコンテンツをアドバイス画像として表示する
ことを特徴とする請求項２に記載のアドバイス表示装置。
【請求項９】
カメラと当該カメラとネットワーク経由で通信されるサーバからなるカメラシステムに
おいて、
前記カメラは、
ネットワークを経由して前記サーバと通信する通信部と、
表示部に画像を表示する表示制御部と、を備え、
前記サーバは、
前記カメラと情報の通信を行う通信部と、
カメラ本体に装着が可能な撮影機材の種類と当該撮影機材の購入費用を示す撮影機材負担度合いと、用意された撮影設定の種類と当該設定の手間を示す撮影設定負担度合いが、それぞれ記載された負担度合いテーブルと、
前記負担度合いテーブルに基づき推奨する前記撮影機材と前記撮影設定をそれぞれ決定し、前記決定した撮影機材及び撮影設定にそれぞれ対応するアドバイスコンテンツを決定し、前記撮影機材の購入費用に関する第１の軸、前記撮影設定の手間に応じた負担度合いに関する第２の軸とする２次元座標の対応する位置に、前記決定したアドバイスコンテンツを配置したアドバイス画像を生成するアドバイス決定部と、を備え、
前記サーバの通信部は、前記アドバイス決定部で生成されたアドバイス画像を前記カメラに送信し、
前記カメラの表示制御部は、前記サーバから送信された前記アドバイス画像を表示部に表示する
ことを特徴とするカメラシステム。
【請求項１０】
カメラに設けられたコンピュータにアドバイス画像表示を実行させるプログラムにおい
て、
カメラ本体に装着が可能な撮影機材の種類と当該撮影機材の購入費用を示す撮影機材負
担度合いと、用意された撮影設定の種類と当該撮影設定の手間を示す撮影設定負担度合い
が、それぞれ記載された負担度合いテーブルに基づき、推奨する前記撮影機材と前記撮影設定をそれぞれ決定するステップと、
前記決定した撮影機材及び撮影設定にそれぞれ対応するアドバイスコンテンツから構成
されるアドバイス画像を生成するステップと、
前記生成したアドバイス画像を表示するステップを含み、
前記アドバイス画像を生成するステップは、前記撮影機材の購入費用に関する第１の軸、前記撮影設定の手間に応じた負担度合いに関する第２の軸とする２次元座標の対応する位置に、前記アドバイスコンテンツを配置したアドバイス画像を生成するステップを含む、
ことを特徴とするプログラム。
【発明の詳細な説明】
【技術分野】
【０００１】
本発明は、撮影アドバイスをカメラに表示するアドバイス表示装置に関する。
【背景技術】
【０００２】
撮影される作品は、撮影時の設定条件や使用する撮影機材に応じて大きく変化する。しかし、自分の狙う作品を撮影するため、如何なる使用機材を用いて、どのような設定条件を設定すればよいかを判断するのは、初心者にとっては、かなり難しい問題である。
このような課題を解決するために、被写体に応じた交換レンズを紹介する画面を表示するカメラシステムが提案されている（特許文献１）
【先行技術文献】
【特許文献】
【０００３】
【特許文献１】特開２０１１−５９６４２号公報
【発明の概要】
【発明が解決しようとする課題】
【０００４】
交換レンズとして高価なレンズが推奨されても、簡単に購入することはできない。撮影機材の選択においては、価格も重要なポイントになる。また、撮影時の設定条件（以下、撮影設定と称す）についても、例えば、マニュアルフォーカスは、狙いの被写体にピントが合った撮影ができる機能であるが、手動のピント合わせが必要になる分、撮影者にかかる負担が大きくなるという点にも考慮を要する。このように、アドバイス画面として、撮影機材や撮影設定の費用や負担度等に関する内容が含まれない情報では、撮影者にとって、利用性は低い。
【０００５】
本願発明は、上記課題に鑑み、撮影者の利用性を考慮した撮影アドバイスを提示するアドバイス表示装置を提供することを目的とする。
【課題を解決するための手段】
【０００６】
上記目的を達成するために、アドバイス表示装置は、カメラ本体に装着が可能な撮影機材の種類と当該撮影機材の購入費用を示す撮影機材負担度合いと、用意された撮影設定の種類と当該撮影設定の手間を示す撮影設定負担度合いが、それぞれ記載された負担度合いテーブルと、前記負担度合いテーブルの前記撮影機材と前記撮影設定の中から、それぞれ推奨する前記撮影機材と前記撮影設定を決定し、前記決定した撮影機材及び撮影設定にそれぞれ対応するアドバイスコンテンツから構成されるアドバイス画像を生成するアドバイス決定部と、前記アドバイス画像を表示する表示制御部を備え、前記アドバイス決定部は、前記撮影機材の購入費用に関する第１の軸、前記撮影設定の手間に応じた負担度合いに関する第２の軸とする２次元座標の対応する位置に、前記アドバイスコンテンツを配置したアドバイス画像を生成する。
【発明の効果】
【０００７】
本発明によれば、撮影者の利用性を考慮した撮影アドバイスを提示するアドバイス表示装置を提供することができる。
【図面の簡単な説明】
【０００８】
【図１】アドバイス画面の概念を示す図である。
【図２】アドバイス表示装置が搭載されるカメラのブロック図である。
【図３】撮影シーンの一例を示す図である。
【図４Ａ】表示部に表示されるライブビューである。
【図４Ｂ】アドバイスコンテンツが表示された画面である。
【図４Ｃ】図４Ｂの画面で、アドバイスコンテンツがタッチされて選択される様子を示す画面である。
【図４Ｄ】選択されたアドバイスコンテンツの詳細内容を示す画面である。
【図５】アドバイス画面表示処理の手順を説明するフローチャートである。
【図６】アドバイス画面表示の手順を説明するサブルーチンである。
【図７】撮影機材の負担度合いテーブルの例である。
【図８】撮影設定の負担度合いテーブルの例である。
【図９】被写体を室内静物とした場合のアドバイスコンテンツのマップである。
【図１０】第２実施形態のカメラと、カメラに接続されるサーバの構成を示す図である。
【図１１Ａ】表示部に表示される第２実施形態のライブビューである。
【図１１Ｂ】第２実施形態で、表示部にアドバイス画面が表示される例である。
【図１２】第２実施形態で、アドバイス画面表示処理を説明するフローチャートである。
【図１３】第２実施形態で、アドバイス画面表示処理を説明するシーケンス図である。
【図１４】第２実施形態で、コンテンツ画像に付帯されるタグ情報の種類を示す図である。
【図１５】第２実施形態で、コンテンツ画像記憶部に記憶された各コンテンツ画像の例を示す表である。
【図１６】第２実施形態で、携帯端末を加えた別なシステムを示す図である。
【図１７】被写体種類の選択画面の例である。
【図１８】多数のアドバイスコンテンツがまとめて表示されるアドバイス画面の例である。
【図１９】図１８のアドバイス画面で、表示範囲の変更操作を示す図である。
【図２０】図１８のアドバイス画面で、表示位置を移動させるスライダ操作を追加した画面である。
【図２１】取得チャンス度の軸が追加されたアドバイス画面である
【発明を実施するための形態】
【０００９】
以下、図面に従って本発明の実施形態を説明する。図１は、本実施形態のアドバイス表示装置により撮影者へ示されるアドバイス画面の概念を示す図である。本実施形態のアドバイス画面では、撮影機材と撮影設定を独立ではなく、組み合わせた条件で提示する。
【００１０】
そして、アドバイス画面は、撮影設定の負担を横軸、撮影機材の負担を縦軸にした２次元座標上で、組み合わせた条件を配置する。縦軸の撮影機材の負担度合い（購入費用）では、上にいくほど費用負担が高くなる。撮影機材としては、交換レンズ、フラッシュ、三脚等である。
【００１１】
横軸の撮影設定の負担度合いでは、右方向に行くほど設定あるいは設定後の操作負担が高くなる。なお、具体的な撮影機材と撮影設定は、撮影環境に応じて適当なものが選択されて、表示される。つまり、全ての撮影機材や撮影設定が、被写体と無関係に表示されるわけではない。ここでは、一般的な表示パネルで表現しやすいように、縦横２軸表示で単純化している。もちろん、大型パネルや３Ｄパネル採用時に、操作負担をさらに時間的な負担や労力的な負担に分けるなどして、３軸にしたりする応用もあり得る。
【００１２】
各四角のエリアが、撮影機材と撮影設定の組み合わせ条件を示す１つ１つのエリアである。左下隅のＡＣ１が、基本条件であって、撮影機材が基本システムで、撮影設定がオートの場合である。基本システムは、例えばレンズが標準レンズである。
【００１３】
ＡＣ２は、撮影機材が基本システムで、撮影設定が１つ変更になった場合である。例えば、撮影設定として露出補正が設定された場合である。ＡＣ３は、撮影機材が基本システムで、撮影設定が２つ変更になった場合である。例えば、露出補正に加えて、絞り優先が設定された場合である。
【００１４】
ＡＣ４は、撮影機材の標準レンズが新規レンズａ（５万円未満）に交換された場合である。撮影設定はオートのままである。ＡＣ５は、撮影機材が標準レンズから新規レンズｂ（５〜１０万円）に交換された場合である。撮影設定はオートのままである。
【００１５】
以下に、上記概念で示したアドバイス画面の実際の例と、それを表示するアドバイス表示装置を具体的に説明する。ここでは、撮影者をステップアップさせるためにアドバイスを様々に変化させているが、撮影状況で変化させる場合、撮影者の経験で変化させる場合、いずれか、または、両方のロジックが有り得ることは言うまでもない。
【００１６】
〈第１実施形態〉
第１実施形態は、カメラ単体で、アドバイス表示装置を実現する例である。図２は、第１実施形態のアドバイス表示装置が搭載されるカメラ１のブロック図である。カメラ１は、交換レンズ式のカメラであって、カメラボディ（カメラ本体とも称す）１０とカメラボディ１０に接続されるレンズ３００を有する。カメラボディ１０には、フラッシュ３１０も追加して接続可能である。
【００１７】
カメラボディ１０は、制御部２０、記憶部３０、撮像部４０、画像処理部４２、操作部４４、タッチパネル４６、時計４８、位置検出部５０、マイク５２、表示部５４等を有する。
【００１８】
制御部２０は、カメラ１全体を統括的に制御する制御部である。制御部２０は、ＣＰＵと制御プログラムを有し、制御プログラムを読込んだＣＰＵによるソフトウェア処理により、各制御処理を実行する。
【００１９】
記憶部３０は、画像データ３０ａ、負担度合いテーブル３０ｂ及びその他データを不揮発的に記憶する。記憶部３０は、例えば、フラッシュメモリである。画像データ３０ａは、カメラ１で撮影された画像データである。
【００２０】
負担度合いテーブル３０ｂは、撮影機材の負担度合い及び撮影設定の負担度合いが、それぞれ記載される表である。撮影機材の負担度合いとは、カメラボディ１０に装着が可能な撮影機材の種類と購入負担費用を示すものである。撮影設定の負担度合いとは、カメラボディ１０に用意された撮影設定の種類と当該設定の手間を示すものである。詳細は、図７、図８で説明する。
【００２１】
撮像部４０は、不図示の撮像素子や撮像回路を有し、レンズ３００により結像される被写体像を光電変換し画像データとして出力する。画像処理部４２は、画像データに補間処理、γ処理、ホワイトバランス処理、圧縮処理等の各種処理を施す。圧縮等処理がされた画像データは、記憶部３０に画像データ３０ａとして保存される。
【００２２】
操作部４４は、カメラボディ１０に設けられたボタンやダイヤル類で、撮影者の入力操作を受け付けて、制御部２０に通知する。操作部４４から、現に使用する撮影者の情報が入力されると、その撮影者情報を制御部２０に通知する。カメラ１は複数人で使用される可能性があり、撮影者ごとにアドバイス内容を異ならせる必要があるからである。
【００２３】
タッチパネル４６は、表示部５４に一体的に設けられ、画面上で撮影者の入力操作を受け付け、制御部２０に通知する。操作部４４とタッチパネル４６により、撮影者から撮影設定の指示が行われる。
【００２４】
時計４８は、現在時刻の表示や撮影日時等を記録するためのもので、撮影日時は画像データ３０ａにタグデータの一部として記録される。位置検出部５０は、ＧＰＳにより撮影位置を特定して、制御部２０に通知する。撮影位置は画像データ３０ａにタグデータの一部として記録される。
【００２５】
マイク５２は、音声収録するもので、動画記録時には収録された音声が、画像データ３０ａに付帯して記憶部３０に記憶される。また、マイク５２は、後述する撮影環境判定用にも音声収録を行い、被写体判定の援助とする。
【００２６】
表示部５４は、ＬＣＤ等から構成される画像表示部である。撮影時には、表示部５４にライブビューが表示され、再生時には、画像データ３０ａに基づく画像が表示される。また、撮影時には、指示に基づき、表示部５４にはアドバイス画面が表示される。
【００２７】
制御部２０は、前述したＣＰＵによる処理機能として、撮影制御部１００、記録制御部１０２、撮影環境判定部１１０、アドバイスコンテンツ決定部１２０、表示制御部１２２を有する。撮影制御部１００は、ＡＥ機能やＡＦ機能を有し、撮影時に、レンズ３００、撮像部４０、画像処理部４２等を制御する。また、撮影制御部１００は、操作部４４とタッチパネル４６から入力された撮影設定に応じて、レンズ３００、撮像部４０、画像処理部４２等を制御する。
【００２８】
記録制御部１０２は、画像処理部４２から出力された画像データを記憶部３０の所定領域に記録する制御を行う。撮影環境判定部１１０は、機材判定部１１２、撮影設定判定部１１４、被写体判定部１１６を有し、現在の撮影されている環境を判定する。
【００２９】
機材判定部１１２は、カメラ１に接続されている撮影機材、例えば、レンズ３００の種類、フラッシュ３１０の種類等を、各撮影機材からカメラボディ１０に通知される信号に基づき判定する。機材判定部１１２は、カメラボディ１０に接続されたレンズ３００やフラッシュ３１０から通知される種別を示すコードに基づき、接続された撮影機材の種類を判定する。なお、三脚等のカメラボディ１０に信号が通知されない機材は、撮影者により所定の画面上で接続が入力され、機材判定部１１２は、入力情報を登録する。
【００３０】
そして、機材判定部１１２は、撮影者と撮影機材の情報を記憶部３０に記録する。記憶部３０には、前述した操作部４４から入力された撮影者と対応して使用された撮影機材情報が、逐次記憶されていく。これは、後述するアドバイスコンテンツとして、現撮影者にとって未使用の撮影機材の方を表示するために、過去に使用した撮影機材の扱いを変えるためである。
【００３１】
撮影設定判定部１１４は、操作部４４とタッチパネル４６から入力された撮影設定の内容を判定する。また、撮影設定判定部１１４は、撮影者と撮影設定を記憶部３０に記録する。記憶部３０には、撮影者と対応して使用された撮影設定情報が逐次記憶されていく。なお、撮影設定情報には、その時の撮影機材情報も含まれる。上述した撮影機材と同様に、アドバイスコンテンツとして、未経験の撮影設定の方を表示するために、経験済の撮影設定の扱いを変えるためである。もちろん、表示の順番のみならず、大きさやタイミングなど、アドバイスの優先度などを変える応用を行ってもよい。
【００３２】
被写体判定部１１６は、画像データに基づき被写体の種類や撮影シーンを判定する。被写体判定部１１６は、顔検出部を有し、画像の人物の有無を判定する。また、被写体判定部１１６は、マイク５２により収録される音声で、子供の声や波音があれば、例えば運動会や海等と判定する。また、被写体判定部１１６は、撮影シーンを夜景と判定する場合には、撮影日時を判定材料として利用してもよい。
【００３３】
アドバイスコンテンツ決定部１２０は、撮影環境判定部１１０の各判定に基づき、負担度合いテーブル３０ｂの撮影機材と撮影設定の中から、それぞれ推奨する撮影機材と撮影設定を選択し、推奨内容（以下、アドバイスコンテンツあるいはコンテンツと略す）を決定する。
【００３４】
具体的には、アドバイスコンテンツ決定部１２０は、撮影環境判定部１１０により判定される現在の撮影環境に基づき、負担度合いテーブル３０ｂに基づき、現在の撮影機材と撮影設定を基準として負担の少ない順に、１以上の推奨する撮影機材及び撮影設定を決定する。
【００３５】
そして、アドバイスコンテンツ決定部１２０は、撮影機材及び撮影設定の決定に際して、記憶部３０から，現撮影者による使用済の機材や経験済の撮影設定を読み出して、現撮影者の使用済の機材や経験済の撮影設定については、負担度を下げるようにする。なお、複数回以上使用された撮影機材や撮影設定についてだけを、負担度を下げるようにしてもよい。
【００３６】
さらに、アドバイスコンテンツ決定部１２０は、実際に行われた撮影機材と撮影設定の組み合わせについては、アドバイスコンテンツから除外するようにしてもよい。実際に行われた撮影機材と撮影設定の組み合わせについては、アドバイスする意味が少ないからである。なお、逆に、アドバイスコンテンツ決定部１２０は、使用済の機材や経験済の撮影設定の負担度を下げない、あるいはその組み合わせを除外しないように、予め設定しておいてもよい。
【００３７】
更に、アドバイスコンテンツ決定部１２０は、決定した撮影機材及び撮影設定を現在の撮影画像に適用した場合に、予想されるサンプル画像を生成する。例えば、推奨する撮影機材（アドバイスコンテンツ）が画角の異なるレンズである場合には、アドバイスコンテンツ決定部１２０は、サンプル画像として、現在の撮影画像に異なる画角の範囲を重畳した画像を生成する。
【００３８】
アドバイスコンテンツ決定部１２０は、生成したサンプル画像をアドバイスコンテンツとするアドバイス画像を生成する。なお、アドバイスコンテンツ決定部をアドバイス決定部とも略す。表示制御部１２２は、生成されたアドバイス画像をアドバイス画面として表示部５４に表示するよう制御する。
【００３９】
図３は、撮影シーンの一例を示す図である。撮影者が、室内で、被写体として机に置かれた静物（花瓶）を撮影する場面である。図４Ａは、表示部５４に表示されるライブビューである。ライブビュー画面の右上にアドバイスコンテンツ画面表示を指示するための「ひと工夫」ボタンが表示される。
【００４０】
図４Ｂは、「ひと工夫」ボタンが押下され、アドバイスコンテンツが表示されたアドバイス画面である。コンテンツＳＣ１は、現在の基本形、ライブビューである。図１のＡＣ１に相当する。
【００４１】
コンテンツＳＣ３は、撮影機材として決定されたマクロレンズａによるサンプル画像である。マクロレンズａで近接撮影した場合の撮影範囲Ｐをライブビューに重畳した画像である。図１のＡＣ４に相当する。アドバイスコンテンツ決定部１２０が、被写体を室内の静物撮影と判定し、近接撮影に適した撮影機材の中で、価格の安い機材として、マクロレンズａを推奨する。
【００４２】
コンテンツＳＣ２は、撮影設定として露出補正が設定されたサンプル画像である。図１のＡＣ２に相当する。アドバイスコンテンツ決定部１２０は、撮影環境判定部１１０の各判定に基づき、負担度合いテーブル３０ｂの撮影設定から、推奨する撮影設定として、露出補正を決定する。アドバイスコンテンツ決定部１２０は、室内の静物撮影では、撮影設定として、露出補正が簡単でかつ有用と決定する。コンテンツＳＣ２は、−１段分露出補正がされたように、ライブビューのゲインを下げた画像である。
【００４３】
図４Ｃは、図４Ｂの画面で、コンテンツＳＣ３がタッチされて選択される様子を示す画面である。図４Ｄは、選択されたコンテンツＳＣ３の詳細内容である詳細アドバイスコンテンツが表示された画面である。アドバイス画面中で１のアドバイスコンテンツが選択されると、そのアドバイスコンテンツの詳細が表示される。具体的な撮影アドバイスや、レンズ情報・レンズの入手方法等が示されたアドバイス画面が表示される。アドバイスコンテンツの詳細内容のデータは、記憶部３０に記憶されている。
【００４４】
図５は、第１実施形態における、アドバイス画面表示処理の手順を説明するフローチャートである。制御部２０は、撮影モードであるかを判断する（ステップＳ１０）。制御部２０は、撮影モードでないと判断すると（ステップＳ１０Ｎｏ）、再生処理を実行する（ステップＳ１２）。再生処理の説明は省略する。
【００４５】
制御部２０は、撮影モードであると判断すると（ステップＳ１０Ｙｅｓ）、撮像・集音を開始する（ステップＳ１４）。制御部２０は、ライブビューを表示部５４に表示する（ステップＳ１６）。
【００４６】
機材判定部１１２は、カメラボディ１０に現在装着されている撮影機材とその種類を判定する（ステップＳ１８）。被写体判定部１１６は、撮影状況を判定する（ステップＳ２０）。被写体判定部１１６は、被写体を特定するのに利用するために、撮影日時、撮影場所、音声等の情報から、撮影状況を判定する。
【００４７】
被写体判定部１１６は、撮影状況の判定結果とライブビューの画像から、現に撮影されている被写体の種類を判定する（ステップＳ２２）。被写体の種類とは、例えば、「室内静物」、「花・植物」、「人物」、「風景・自然」、「スポーツ」等である。
【００４８】
制御部２０は、撮影者を判定する（ステップＳ２４）。機材判定部１１２は、記憶部３０記憶された情報から、現撮影者による使用済の撮影機材の情報を読み出す（ステップＳ２６）。撮影設定判定部１１４は、記憶部３０記憶された情報から、現撮影者による経験済の撮影設定の情報を読み出す（ステップＳ２８）。ここで、経験済の撮影設定情報には、対応する撮影機材の情報も含まれる。
【００４９】
撮影設定判定部１１４は、操作による制御切換えが有ったかを判定する（ステップＳ３０）。前述した、撮影者による操作部４４やタッチパネル４６による撮影設定の変更の有無を判定する。撮影設定判定部１１４は、操作による制御切換えがないと判定すると（ステップＳ３０Ｎｏ）、ステップＳ３４に進む。
【００５０】
撮影設定判定部１１４は、操作による制御切換えが有ったと判定すると（ステップＳ３０Ｙｅｓ）、撮影設定の具体的な内容を判定する（ステップＳ３２）。撮影設定の具体的な内容とは、「露出補正」、「絞り優先」、「ＳＳ（シャッタースピード）優先」、「ＭＦ（マニュアルフォーカス）」等々である。
【００５１】
制御部２０は、撮影者からアドバイス画面表示指示がされたかを判断する（ステップＳ３４）。アドバイス画面表示指示とは、例えば、前述した図４Ａで示した「ひと工夫」ボタンへのタッチ操作である。
【００５２】
制御部２０は、撮影者からアドバイス画面表示指示がされないと判断すると（ステップＳ３４Ｎｏ）、ステップＳ３８に進む。制御部２０は、撮影者からアドバイス画面表示指示がされたと判断すると（ステップＳ３４Ｙｅｓ）、アドバイス画面表示処理を行う（ステップＳ３６）。
【００５３】
図６は、アドバイス画面表示の手順を説明するサブルーチンである。アドバイスコンテンツ決定部１２０は、記憶部３０から負担度合いテーブル３０ｂを読み出す（ステップＳ５０）。アドバイスコンテンツ決定部１２０は、負担度合いテーブル３０ｂの撮影機材のテーブルから、現撮影者による使用済み撮影機材については、その負担度を下げて、推奨する撮影機材を決定する（ステップＳ５２）。負担度を下げるのは、使用済み撮影機材は、撮影者が所有する可能性が高いからである。
【００５４】
図７は、撮影機材の負担度合いテーブルの例である。撮影機材の負担度合いテーブルには、各種撮影機材について、価格、価格から算出される機材負担度、撮影機材に適した被写体、がそれぞれ記載される。機材負担度は、機材の価格の万円単位を、整数にした値である。また、カメラボディｂは、現カメラボディ１０よりも高画素の撮像素子が搭載された、高価格のボディである。なお、使用済み撮影機材は、購入金額に関わらず一律に機材負担度＝０としてもよく、また、費用負担がなくなることから、機材の使用を撮影設定の負担としてもよい。機材負担度＝０の場合には、アドバイスコンテンツから除外される。
【００５５】
アドバイスコンテンツ決定部１２０は、図７に示すような撮影機材のテーブルで、現被写体に適合する撮影機材の中から、現在のカメラ１の機材を基準にして、負担度の最も少ない順から、いくつかの推奨する撮影機材を決定する。例えば、現カメラ１の撮影機材が標準レンズのみとし、被写体が室内静物と判定された場合には、アドバイスコンテンツ決定部１２０は、マクロレンズａ、リングフラッシュ、マクロレンズｂの順に、推奨する撮影機材を決定する。なお、マクロレンズｂが、使用済み撮影機材に該当する場合には、ユーザーにとって簡単なことになり、負担度は下げられるため（例えば１）、推奨される順番が上がり、何度か使用すると負担度＝０となり除外される。
【００５６】
また、例えば、現カメラ１にリングフラッシュが装着されている場合には、アドバイスコンテンツ決定部１２０は、マクロレンズａ、マクロレンズｂ、カメラボディの順に、推奨する撮影機材を決定する。
【００５７】
次に、アドバイスコンテンツ決定部１２０は、負担度合いテーブル３０ｂの撮影設定の負担度合いテーブルから、現撮影者による経験済み撮影設定については、その負担度を下げて、推奨する撮影設定を決定する（ステップＳ５４）。負担度を下げるのは、経験したことがないアドバイスコンテンツを表示していくためである。
【００５８】
図８は、撮影設定の負担度合いテーブルの例である。撮影設定の負担度合いテーブルは、各種撮影設定における、設定負担度及び適した被写体が示された表である。
【００５９】
設定負担度は、操作の手間にかかる負担度合いを示す整数で、手間がかかる程数値が大きくなる。例えば、露出補正は、＋１や−１等の補正値を設定するだけなので、操作の手間はさほどかからないので、設定負担度は１である。
【００６０】
絞り優先やＳＳ（シャッタースピード）優先は、適切な絞り値やシャッター速を入力しなければならず、操作の手間が多少はかかるため、設定負担度を２とする。さらに、ＭＦ（マニュアルフォーカス）は、ライブビューを見ながらレンズ操作をしなければならないので、操作の手間は大きいので、設定負担度を３にする。なお、経験済み撮影設定は、経験の度に負担度を下げて負担度＝０になると除外される。
【００６１】
また、各種撮影設定も、撮影機材と同様に、被写体に応じた適否がある。例えば、露出補正は、「室内静物」、「花・植物」、「人物」、「風景・自然」等の被写体に対して推奨される。特殊画像加工とは、画像を、モノクロ画像やイラスト風画像あるいは水彩風画像等に加工する処理である。特殊画像加工は、「花・植物」、「人物」、「風景・自然」等の被写体に対して推奨される。
【００６２】
そして、アドバイスコンテンツ決定部１２０は、図８に示す撮影設定の負担度合いテーブルで、現被写体に適合する撮影設定の中から、現在のカメラ１の撮影設定を基準にして、負担度の最も少ない順から、いくつかの推奨する撮影設定を決定する。
【００６３】
アドバイスコンテンツ決定部１２０は、決定した撮影機材と撮影設定に基づき、アドバイス画像を作成する（ステップＳ５６）。なお、アドバイスコンテンツ決定部１２０は、決定した撮影機材と撮影設定から、経験済み撮影設定と使用済み撮影機材との組み合わせと一致するコンテンツのみを除外するようにしてもよい。
【００６４】
表示制御部１２２は、アドバイス画像に基づくアドバイス画面を表示部５４に表示する（ステップＳ５８）。図４Ｂに示すアドバイス画面が表示される。
【００６５】
アドバイスコンテンツ決定部１２０は、アドバイス画面で、いずれかのアドバイスコンテンツが選択されたかを判断する（ステップＳ６０）。アドバイスコンテンツ決定部１２０は、アドバイスコンテンツが選択されていないと判断すると（ステップＳ６０Ｎｏ）、ステップＳ６４に進む。
【００６６】
アドバイスコンテンツ決定部１２０は、アドバイスコンテンツが選択されたと判断すると（ステップＳ６０Ｙｅｓ）、選択されたアドバイスコンテンツの詳細画面を作成し、表示制御部１２２は、表示部５４に表示する（ステップＳ６２）。図４Ｄで説明したような詳細画面が表示される。
【００６７】
制御部２０は、アドバイス画面の消去指示がされたかを判断する（ステップＳ６４）。消去指示は、例えばアドバイス画面で消去ボタン（不図示）へのタッチ操作指示である。あるいは、アドバイス画面の表示時間が一定時間を経過したことを、消去指示としてもよい。
【００６８】
制御部２０は、アドバイス画面の消去指示がされていないと判断すると（ステップＳ６４Ｎｏ）、図５のステップＳ３２に進む。制御部２０は、アドバイス画面の消去指示がされたと判断すると（ステップＳ６４Ｙｅｓ）、図４Ｂあるいは図４Ｄのアドバイス画面を消去して（ステップＳ６６）、図５のステップＳ３２に進む。
【００６９】
図５に戻る。制御部２０は、操作部４４のレリーズボタンの押下による撮影操作がされたかを判断する（ステップＳ３８）。制御部２０は、撮影操作がされていないと判断すると（ステップＳ３８Ｎｏ）、ステップＳ１０に戻る。制御部２０は、撮影操作がされたと判断すると（ステップＳ３８Ｙｅｓ）、撮影を実行する（ステップＳ４０）。
【００７０】
制御部２０は、操作部４４のモード切換えボタンの操作によって、撮影モードの終了操作がされたかを判断する（ステップＳ４２）。制御部２０は、撮影モードの終了操作がされたと判断すると（ステップＳ４２Ｙｅｓ）、再生モードに切換え、再生処理を行う（ステップＳ１２）。
【００７１】
制御部２０は、撮影モードの終了操作がされていないと判断すると（ステップＳ４２Ｎｏ）、電源オフ操作がされたかを判断する（ステップＳ４４）。制御部２０は、電源オフ操作がされていないと判断すると（ステップＳ４４Ｎｏ）、ステップＳ１０に戻る。制御部２０は、電源オフ操作がされたと判断すると（ステップＳ４４Ｙｅｓ）、電源オフ処理を行い。カメラ制御処理を終了する。
【００７２】
図９は、被写体を室内静物とした場合に、図７、図８のテーブルに基づくアドバイスコンテンツを、図１のような２次元座標に配置したものである。縦軸が機材負担度で、横軸が設定負担度である。ただし、図９は、説明のために、各アドバイスコンテンツをサンプル画像ではなく、内容で表現し、上段に撮影機材、下段に撮影設定の種類を示す。
【００７３】
Ｄ１は、標準レンズとオートの組み合わせを基準とした場合に、アドバイス画面として表示される範囲を示す枠である。Ｄ１のコンテンツＡＣ１１、ＡＣ１２、ＡＣ１３が、図４Ｂでサンプル画像として示したコンテンツＳＣ１、ＳＣ２、ＳＣ３に対応する。
【００７４】
そして、現カメラ１が変更されると、それに従って、アドバイス画面で表示される範囲も移動する。例えば、カメラ１が、「標準レンズとオートの組み合わせ」から、「マクロレンズａと露出補正の組み合わせ」に変更された場合には、「マクロレンズａと露出補正の組み合わせ」を基準とした、Ｄ２の範囲で示されるアドバイス画面が作成される。Ｄ２のアドバイス画面では、コンテンツＡＣ１４が基準となる。
【００７５】
以上のように、第１実施形態では、良い作品（写真）を撮影するためのアドバイス情報として、推奨される撮影機材と撮影設定を、単独ではなく組み合わせた形式の情報として提供するので、撮影者は、より利用しやすい情報として活用することができる。良い写真を撮影するためには、被写体に応じた適切な撮影機材の選択と、撮影技術の活用の両方が必要になるからである。
【００７６】
さらに、第１実施形態では、撮影機材は価格の安い順、撮影設定は操作の手間のかからない順、つまりいずれも負担度合いの少ない順に表示されるので、撮影者は、負担の少ない撮影機材や手軽な撮影設定から実行することができ、アプローチしやすくなる。
【００７７】
また、第１実施形態では、アドバイス情報として、推奨する撮影機材や撮影設定を、得られるであろうサンプル画像の形式で表示するので、撮影機材等を単に名称で表示するのに比べて、撮影機材や撮影設定の選択時に有用である。
【００７８】
また、使用済の撮影機材や経験済の撮影設定を記憶してその負担度を低く設定するようにしたので、撮影者に合わせたより実際的なアドバイスコンテンツを表示することができる。また、現に使用した撮影機材と撮影設定の組み合わせについては、アドバイスコンテンツとして表示されないようにしたので、無駄なアドバイスが表示されることを防止できる。
【００７９】
〈第２実施形態〉
第２実施形態は、アドバイスコンテンツとして外部のサーバに蓄積された画像を利用する例である。ここで、外部のサーバとは、写真投稿サークルなどが管理する画像管理用のサーバである。上述した第１実施形態では、推奨する撮影機材や撮影設定を現在のライブビューを変換したサンプル画像の形式で表示した。第２実施形態では、推奨する撮影機材や撮影設定によって実際に撮影された画像をアドバイスコンテンツとして利用するアドバイス画面を表示する。
【００８０】
図１０は、カメラ１と、カメラ１にネットワーク６００を介して接続されるサーバ５００の構成を示す図である。第２実施形態のカメラ１では、カメラボディ１０ａの構成が一部異なる。第１実施形態のカメラボディ１０と同一の部位には同一の符号を付して示し、カメラボディ１０ａにつき、異なる部位を主に説明する。
【００８１】
カメラボディ１０ａは、ネットワーク６００を介してサーバ５００と通信を行う通信部６０を有する。そして、後述するように、アドバイスコンテンツがサーバ５００によって決定されるので、カメラボディ１０ａの制御部２０ａからアドバイスコンテンツ決定部１２０は不要となる。同様に、記憶部３０から、負担度合いテーブル３０ｂも不要となる。
【００８２】
また、表示制御部１２２は、サーバ５００から送信されるアドバイスコンテンツに基づくアドバイス画面を作成して、表示部５４に表示する。
【００８３】
サーバ５００は、上述のように、写真投稿サークルやＳＮＳ（Social Networking Site）等により運営されるサーバで、会員から提供あるいは応募された画像を蓄積・管理する。サーバ５００は、通信部５０２、アドバイスコンテンツ決定部５０４、コンテンツ画像記憶部５０６及び負担度合いテーブル５０８を有する。通信部５０２は、ネットワーク６００を介して接続される端末であるカメラ１と画像データやその他の情報の通信を行うものである。
【００８４】
アドバイスコンテンツ決定部５０４は、コンテンツ画像記憶部５０６に記憶された画像データの中から、アドバイスコンテンツを決定し、決定したアドバイスコンテンツに対応する画像データを、通信部５０２に出力する。コンテンツ画像記憶部５０６は、アドバイスコンテンツとして配布することを、撮影者から事前に利用が許可された画像データを、アドバイスコンテンツ用のコンテンツ画像として蓄積する。
【００８５】
負担度合いテーブル５０８は、負担度合いテーブル３０ｂと同様なテーブルで、撮影機材の負担度合いと撮影設定の負担度合いが、それぞれ記載される。アドバイスコンテンツ決定部５０４は、カメラ１から送信される撮影環境（被写体の種類、撮影機材、撮影設定）に基づき、コンテンツ画像記憶部５０６の中から、負担度合いテーブル５０８により、負担の少ないアドバイスコンテンツを決定する。
【００８６】
図１１Ａは、表示部５４に表示される第２実施形態のライブビュー画面である。撮影される被写体は、室内静物である。ライブビュー画面の右上に、アドバイス画面の表示を指示する「ひと工夫ボタン」が表示される。図１１Ｂは、図１１Ａでひと工夫ボタンがタッチされて、表示部５４にアドバイス画面が表示される例である。サーバ５００から送信されたアドバイスコンテンツに基づくアドバイス画面が表示される。
【００８７】
図１１Ｂで、左下のコンテンツＳＣ１０は、図１１Ａのライブビューの縮小画像である。コンテンツＳＣ１１、コンテンツＳＣ１２、コンテンツＳＣ１３が、サーバ５００から送信されたコンテンツ画像である。コンテンツ画像の被写体は、いずれも室内静物である。
【００８８】
コンテンツＳＣ１０の右隣のコンテンツＳＣ１１は、例えば、現カメラ１と同じ撮影機材により、撮影設定が露出補正に設定されて撮影された画像である。コンテンツＳＣ１０の上のコンテンツＳＣ１２は、例えば、レンズ３００としてマクロレンズａが使用されて、撮影設定がオートで撮影された画像である。コンテンツＳＣ１０の斜め右上のコンテンツＳＣ１３は、例えば、レンズ３００としてマクロレンズａが使用されて、撮影設定が露出補正で撮影された画像である。
【００８９】
図１２は、第２実施形態のアドバイス画面を表示する処理を説明するフローチャートである。第２実施形態におけるアドバイス画面の表示処理は、図５で説明した第１実施形態におけるアドバイス画面の表示処理と共通する処理を含む。第１実施形態と共通する処理については、簡単に説明する。
【００９０】
図１２のステップＳ１００からステップＳ１２０は、図５のステップＳ１０〜ステップＳ３２と同一内容であるので、説明は省略する。図１１Ａに示すような画面で、アドバイス画面表示指示がされると（ステップＳ１２２）、アドバイス画面表示を行う（ステップＳ１２４）。
【００９１】
図１３は、アドバイス画面表示に関して、カメラ１とサーバ５００間での行われる処理を説明するシーケンス図である。カメラ１による処理を左列に、サーバ５００による処理を右列に示す。
【００９２】
制御部２０ａは、撮影環境判定を行う（ステップＳ１６０）。制御部２０ａは、前述の機材判定（ステップＳ１０６）、撮影状況判定（ステップＳ１０８）、被写体判定（ステップＳ１１０）、撮影者判定（ステップＳ１１２）、使用済の撮影機材判定（ステップＳ１１４）、経験済の撮影設定判定（ステップＳ１１６）、撮影設定判定（ステップＳ１２０）により、撮影環境判定を行う。
【００９３】
制御部２０ａは、通信部６０により、判定した撮影環境に関する判定データをサーバ５００に送信する（ステップＳ１６２）。撮影環境判定データには、被写体種類、撮影機材、撮影設定の各データが含まれる。また、撮影環境判定データには、第１実施形態で説明した、現撮影者による使用済撮影機材情報や経験済撮影設定情報が含まれる。
【００９４】
サーバ５００は、通信部５０２により、カメラ１からの撮影環境判定データを受信する（ステップＳ１６４）。アドバイスコンテンツ決定部５０４は、負担度合いテーブル５０８を読み出す（ステップＳ１６６）。負担度合いテーブル５０８は、図７、図８と同様である。
【００９５】
アドバイスコンテンツ決定部５０４は、撮影環境判定データに基づき、カメラ１に対応するコンテンツ画像を、コンテンツ画像記憶部５０６から選択する（ステップＳ１６８）。
【００９６】
図１４は、コンテンツ画像に付帯されるタグ情報の種類を示す図である。各コンテンツ画像には、タグ情報として、「タイトル・テーマ（被写体種類に相当する）、撮影場所、撮影日時、撮影機材、撮影設定、撮影者」の各データが付帯される。
【００９７】
さらに、各コンテンツ画像のタグ情報には、「取得困難度」に関する情報も記録される。取得困難度は、被写体自体や撮影場所が特殊なケースであることを示す値である。取得困難とは、被写体が特別な物体や生物である場合や、撮影場所が海外に限定されるような場合で、高い値程、困難であることを示す。撮影時期が短期間に限定される場合も同様である。取得困難度を設定したのは、撮影機材や撮影設定の負担度が低いだけで、被写体等が特殊で一般的ではない画像が、アドバイスコンテンツとして簡単に選択されてしまうのを防止するためである。
【００９８】
取得困難度は、サーバ５００が画像をコンテンツ画像記憶部５０６に登録する場合に、タグ情報の内容から、取得困難度の値を決定しても良いし、投稿する会員が画像に予め取得困難度を付番しておいてもよい。なお、取得困難度を含めたアドバイス画面例につては、図２１で説明する。
【００９９】
図１５は、コンテンツ画像記憶部５０６に記憶された各コンテンツ画像の例を示す表である。左欄のＮｏ（１，２・・・）が、各コンテンツ画像の番号である。各コンテンツ画像につき、図１３で説明したようなタグ情報に基づく内容が記載される。例えば、Ｎｏ５０のコンテンツ画像は、「撮影タイトル：室内静物」、「撮影場所：東京八王子」、「撮影日時：2014年6月20日12時00分」、「撮影機材：カメラａ、マクロレンズａ」、「撮影設定：露出補正」、「撮影者：ｍｍ」、「（取得）困難度：１」であることが示される。
【０１００】
ここで、カメラ１から送信された撮影環境判定データの被写体種類が室内静物とすると、アドバイスコンテンツ決定部５０４は、まず、コンテンツ画像記憶部５０６の中から、被写体種類が同一のＮｏ５０，５１・・・等のコンテンツ画像を選択する。
【０１０１】
次に、アドバイスコンテンツ決定部５０４は、負担度合いテーブル５０８に基づき、カメラ１の現撮影機材や撮影設定に対して、負担度が１ランク上の撮影機材や撮影設定であるコンテンツ画像を、前述した被写体種類が同一のコンテンツ画像（Ｎｏ５０、５１・・・）の中から、選択する。なお、第１実施形態と同様に、アドバイスコンテンツ決定部５０４は、現撮影者による使用済み撮影機材や経験済撮影設定については、負担度合いテーブル５０８の負担度を下げるようにしてもよい。
【０１０２】
なお、アドバイスコンテンツ決定部５０４は、取得難易度を参照して、難易度の高いコンテンツ画像については、選択しないようにしてもよい。また、逆に、アドバイスコンテンツ決定部５０４は、ステップＳ１６８のコンテンツ画像の選択に当たり、取得難易度を無視してもよい。
【０１０３】
カメラ１の現撮影機材が標準レンズで、現撮影設定がオートとすると、Ｎｏ５１のコンテンツ画像が撮影設定で１ランク上に相当する。同様に、Ｎｏ５３のコンテンツ画像が撮影機材で１ランク上に相当し、Ｎｏ５０のコンテンツ画像が撮影機材と撮影設定で１ランク上に相当する。なお、アドバイスコンテンツ決定部５０４は、決定した撮影機材と撮影設定から、経験済み撮影設定と使用済み撮影機材との組み合わせと一致するコンテンツを一律に除外するようにしてもよい。実際に行われた撮影機材と撮影設定の組み合わせについては、アドバイスする意味が少ないからである。
【０１０４】
アドバイスコンテンツ決定部５０４は、選択したコンテンツ画像をコンテンツ画像記憶部５０６から読出す（ステップＳ１７０）。サーバ５００は、通信部５０２により、選択したコンテンツ画像をカメラ１に送信する（ステップＳ１７２）。
【０１０５】
カメラ１は、送信されたコンテンツ画像を通信部６０により受信する（ステップＳ１７４）。表示制御部１２２は、アドバイス画面を作成する（ステップＳ１７６）。図１１Ｂで説明したようなアドバイス画面が作成される。Ｎｏ５１のコンテンツ画像がコンテンツＳＣ１１に相当し、Ｎｏ５３のコンテンツ画像がコンテンツＳＣ１２に相当し、Ｎｏ５０のコンテンツ画像がコンテンツＳＣ１３に相当する。
【０１０６】
表示制御部１２２は、アドバイス画面を表示部５４に表示する（ステップＳ１７８）。そして、図１２のステップＳ１２６に進む。
【０１０７】
図１２に戻る。制御部２０ａは、撮影操作されたかを判断し（ステップＳ１２６）、撮影操作されていないと判断すると（ステップＳ１２６Ｎｏ）、ステップＳ１００に戻る。制御部２０ａは、撮影操作されたと判断すると（ステップＳ１２６Ｙｅｓ）、撮影を実行する（ステップＳ１２８）。
【０１０８】
ここで、記録制御部１０２は、図１３で説明した各タグ情報を撮影画像に付帯して、記憶部３０に画像データ３０ａとして記録する。各タグ情報とは、ステップＳ１０６〜ステップＳ１１６、ステップＳ１２０で判定された情報である。カメラ１で撮影された撮影画像を、サーバ５００のコンテンツ画像記憶部５０６にコンテンツ画像として登録するためである。
【０１０９】
ステップＳ１００に戻り、制御部２０ａは、撮影モードではないと判断すると（ステップＳ１００Ｎｏ）、再生処理を開始する（ステップＳ１４０）。制御部２０ａは、撮影者からの指示に応じて、インデックス画像のようなファイル一覧を表示する（ステップＳ１４２）。制御部２０ａは、ファイル一覧でファイルが選択されたかを判断する（ステップＳ１４４）。制御部２０ａは、ファイル一覧でファイルが選択されていないと判断すると（ステップＳ１４４Ｎｏ）、ステップＳ１５２に進む。
【０１１０】
制御部２０ａは、ファイル一覧でファイルが選択されたと判断すると（ステップＳ１４４Ｙｅｓ）、選択画像を再生する（ステップＳ１４６）。さらに、制御部２０ａは、選択画像をコンテンツ画像として送信する指示がされたかを判断する（ステップＳ１４８）。
【０１１１】
撮影者は、自らの撮影画像をアドバイス画面用のコンテンツ画像としてサーバ５００に登録することができる。制御部２０ａは、コンテンツ画像として送信する指示がされていないと判断すると（ステップＳ１４８Ｎｏ）、ステップＳ１５２に進む。
【０１１２】
制御部２０ａは、選択画像をコンテンツ画像として送信する指示がされたと判断すると（ステップＳ１４８Ｙｅｓ）、制御部２０ａは、選択画像をサーバ５００に送信する（ステップＳ１５０）。サーバ５００は、受信した画像をコンテンツ画像記憶部５０６に、コンテンツ画像として記憶・登録する。
【０１１３】
制御部２０ａは、再生終了の操作がされたかを判断する（ステップＳ１５２）。制御部２０ａは、再生終了の操作がされていないと判断すると（ステップＳ１５２Ｎｏ）、ステップＳ１４０に戻る。制御部２０ａは、再生終了の操作がされたと判断すると（ステップＳ１５２Ｙｅｓ）、ステップＳ１００に戻る。
【０１１４】
なお、ステップＳ１３０、ステップＳ１３２は、ステップＳ４２、ステップＳ４４の処理と同一であるので、説明は省略する。
【０１１５】
第２実施形態における、図１０以外の構成例を簡単に説明する。図１６は、携帯端末を加えた別なシステムを示す図である。携帯端末は、例えば、スマートフォンである。カメラ１は、携帯端末６１０ａと有線または無線で接続される。携帯端末６１０ａは、基地局６２０を経由して、インターネット等のネットワーク６００に接続され、ネットワーク６００にはサーバ５００が接続される。
【０１１６】
これにより、カメラ１は、携帯端末６１０ａを介してサーバ５００と接続される。カメラ１で撮影した画像を、携帯端末６１０ａを介して、サーバ５００のコンテンツ画像記憶部５０６にコンテンツ画像として登録することができる。また、ネットワーク６００に接続された他の携帯端末６１０ａを介して、カメラ１の撮影環境に応じてサーバ５００で選択されたコンテンツ画像を、カメラ１で表示することができる。
【０１１７】
また、携帯端末６１０ｂから、撮影画像をコンテンツ画像としてサーバ５００のコンテンツ画像記憶部５０６に登録することもできる。
【０１１８】
以上のような第２実施形態によれば、他人の撮影ではあるが、実際の撮影画像を表示することで、１ランク上の撮影機材や撮影設定により得られる画像をより正確に提示することができる。サンプル画像による表現には限界があるからである。また、使用済の撮影機材や経験済の撮影設定を記憶してその負担度を低く設定するようにしたので、撮影者に合わせたより実際的なアドバイスコンテンツを表示することができる。また、現に使用した撮影機材と撮影設定の組み合わせについては、アドバイスコンテンツとして表示されないようにしたので、無駄なアドバイスが表示されることを防止できる。
【０１１９】
〈アドバイス画面等の他の表示形態〉
図１７は、被写体種類の選択画面の例である。これまでは、被写体判定部１１６によって被写体の種類が判定されると説明したが、被写体判定はこれに限るものではない。例えば、図１８に示すように、カメラ１に予め被写体種類入力用画面を用意しておき、撮影者が用意された画面で被写体種類を入力するようにしてよい。
【０１２０】
また、アドバイス画面として、図４Ｂや図１１Ｂを示したが、アドバイス画面の表示形態はこれに限るものではい。以下に他の表示形態を説明する。
【０１２１】
図１８は、多数のアドバイスコンテンツがまとめて表示されるアドバイス画面の例である。画面に表示されるアドバイスコンテンツ数として、図４Ｂや図１１Ｂでは、２×２を例示したが、これに限るものではない。図１８に示すように、左下隅を現在のカメラ１の状態として、２×２以上で、縦４×横５のアドバイスコンテンツ列を表示するようにしてもよい。Ｒは、画面に表示される範囲を示す。
【０１２２】
図１９は、図１８のアドバイス画面で、表示範囲の変更操作を示す図である。図１９（Ａ）で示すアドバイス画面で、表示範囲Ｒの中で、太枠で示されるコンテンツＳＣ２０が、タッチにより選択されるとする。図１９（Ｂ）は、変更されたアドバイス画面である。アドバイス画面が切り替わり、コンテンツＳＣ２０が画面の左下隅に配置されるように、表示範囲Ｒが変更される。
【０１２３】
図２０は、図１８のアドバイス画面に、表示位置を移動させるスライダが追加された画面である。レバーＬｘは、Ｘ軸（設定負担度）の方向に表示範囲を変更するレバーである。レバーＬｙは、Ｙ軸（機材負担度）の方向に表示範囲を変更するレバーである。例えば、レバーＬｘを右方向に移動させることで、設定負担度のより高いアドバイスコンテンツを表示させることができる。また、レバーＬｙを右方向に移動させることで、機材負担度のより高いアドバイスコンテンツを表示させることができる。
【０１２４】
図２１は、取得チャンス度の軸が追加されたアドバイス画面である。アドバイス画面のパラメータは、設定負担度（Ｘ軸）と機材負担度（Ｙ軸）に限られるものではなく、更に他の要素を加えてもよい。図２１に示すように、図１５で説明した取得困難度の逆である取得チャンス度をＺ軸として加えてもよい。
【０１２５】
例えば、被写体の撮影可能な期間が年間を通じて数日のような場合、通常は取得困難であるが、現在がその撮影可能な期間にあたるような場合に、積極的にそのコンテンツをアドバイス画面に目立つように提示する。つまり、コンテンツＳＣ３０が、この時期に限って、取得チャンス度の高いアドバイスコンテンツであることを示す。逆に、この時期以外には、コンテンツＳＣ３０を表示しないようにする。
【０１２６】
なお、上記実施形態では、制御部２０（２０ａ）を、制御プログラムを読込んだＣＰＵによるソフトウェア処理により実現されると説明したが、一部あるいは全部をハードウェアで構成してもよい。
【０１２７】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせても良い。さらに、異なる実施形態にわたる構成要素を適宜組み合わせてもよい。このような、発明の趣旨を逸脱しない範囲内において種々の変形や応用が可能であることはもちろんである。
【符号の説明】
【０１２８】
１      カメラ
１０    カメラボディ
２０    制御部
３０    記憶部
３０ａ  画像データ
３０ｂ、５０８  負担度合いテーブル
４０    撮像部
４２    画像処理部
４４    操作部
４６    タッチパネル
４８    時計
５０    位置検出部
５２    マイク
５４    表示部
６０    通信部
１００  撮影制御部
１０２  記録制御部
１１０  撮影環境判定部
１１６  被写体判定部
１１２  機材判定部
１１４  撮影設定判定部
１２０、５０４  アドバイスコンテンツ決定部
１２２  表示制御部
３００  レンズ
３１０  フラッシュ
５００  サーバ
５０２  通信部
５０６  コンテンツ画像記憶部
６００  ネットワーク
６１０  携帯端末
６２０  基地局
【図１】
0006415933.tif 000002
【図２】
0006415933.tif 000003
【図３】
0006415933.tif 000004
【図４Ａ】
0006415933.tif 000005
【図４Ｂ】
0006415933.tif 000006
【図４Ｃ】
0006415933.tif 000007
【図４Ｄ】
0006415933.tif 000008
【図５】
0006415933.tif 000009
【図６】
0006415933.tif 000010
【図７】
0006415933.tif 000011
【図８】
0006415933.tif 000012
【図９】
0006415933.tif 000013
【図１０】
0006415933.tif 000014
【図１１Ａ】
0006415933.tif 000015
【図１１Ｂ】
0006415933.tif 000016
【図１２】
0006415933.tif 000017
【図１３】
0006415933.tif 000018
【図１４】
0006415933.tif 000019
【図１５】
0006415933.tif 000020
【図１６】
0006415933.tif 000021
【図１７】
0006415933.tif 000022
【図１８】
0006415933.tif 000023
【図１９】
0006415933.tif 000024
【図２０】
0006415933.tif 000025
【図２１】
0006415933.tif 000026